(57)【特許請求の範囲】
【請求項１】
前後身頃部と左右一対の長袖部とを備えたトップ側のインナーウエアであって、
前記前後身頃部と長袖部との下側接合点である腋下点と所定間隔をあけた前記前後身頃部の脇腹領域、あるいは、前記脇腹領域および前記腋下点と所定間隔をあけた前記長袖部の内腕領域に、Ｑｍａｘ値が０．１７Ｊ／ｓｅｃ／ｃｍ２以上の冷感素材を配置し、他の領域には前記冷感素材を配置しない構成とし、前記冷感素材の編地がベア天竺編地であるインナーウエア。
【請求項２】
前記冷感素材の熱伝導率は、０．０８Ｗ／ｍ・Ｋ以上であることを特徴とする請求項１に記載のインナーウエア。
【請求項３】
前記冷感素材の平衡吸水率は、０．６％以下であることを特徴とする請求項１または２に記載のインナーウエア。
【請求項４】
前記冷感素材を配置する前記脇腹領域は、前記前後身頃部の境界ラインである脇線を跨いで前記前後身頃部に連続形成され、前記脇腹領域は、前記腋下点から脇線方向に３〜８ｃｍ離間させた位置を上端とし胴周り方向の幅を６〜１６ｃｍとして脇線方向に前記前後身頃部の下端まで帯状に連続させている一方、前記冷感素材を配置する前記長袖部の内腕領域は、前記腋下点から前記長袖部の長さ方向に３〜８ｃｍ離間させた位置を上端とし腕周り方向の幅を腕周り全周長の１／２〜２／３として前記長袖部の長さ方向に前記長袖部の下端まで帯状に連続させている請求項１乃至請求項３に記載のインナーウエア。
【請求項５】
前記冷感素材は、熱可塑性エラストマーからなる繊維を用いた編地またはポリアミド系汎用繊維を用いた編地からなる請求項１乃至請求項４に記載のインナーウエア。
【請求項６】
請求項１乃至請求項５のいずれか１項に記載のトップ側のインナーウエアに組み合わせるボトム側のインナーウエアであって、
脚の付け根位置から膝位置までの左右大腿部を囲む脚部を有し、該脚部の大腿内側領域あるいは／および大腿前側領域にＱｍａｘ値が０．１７Ｊ／ｓｅｃ／ｃｍ２以上の冷感素材を配置し、他の領域には前記冷感素材を配置していない構成としているインナーウエア。
【請求項７】
スポーツ用としている請求項１乃至請求項６のいずれか１項に記載のインナーウエア。
【発明の詳細な説明】
【技術分野】
【０００１】
本発明はインナーウエアに関し、詳しくは、着用によって皮膚温を低下させると共に、着用感も高めるものである。
【背景技術】
【０００２】
従来、夏季や運動時に着用するインナーウエア等の衣類として、本出願人は、特開平１１−２４７０１１号公報（特許文献１）において、発汗量の多い胸部や背部に放熱性に優れた生地を設けることを提案している。放熱性に優れた生地として、例えば、綿等の天然繊維や、人絹、酢酸繊維等の人造繊維や、ナイロン、ポリエステル系等の合成繊維を用いたメッシュ生地等を挙げている。このような生地は、通気性が高いため、発汗による放熱を容易にする効果は有しているものの、着用により冷感を惹起させ直接的に皮膚温を低下させる効果は期待できない。皮膚温を効果的に低下させることにより、ランニング等の運動時にも発汗による脱水を起こすことなく皮膚温の上昇を抑制でき、運動機能低下の原因となる筋温の上昇も抑えることが可能となるが、前記した素材ではこのような効果までは得られにくい。
【先行技術文献】
【特許文献】
【０００３】
【特許文献１】特開平１１−２４７０１１号公報
【発明の概要】
【発明が解決しようとする課題】
【０００４】
本発明は前記問題に鑑みてなされたものであり、インナーウエアを着用することによって皮膚温を効果的に低下させると共に、着用感も高めることを課題としている。
【課題を解決するための手段】
【０００５】
前記課題を解決するため、第１の発明は、前後身頃部と左右一対の長袖部とを備えたトップ側のインナーウエアであって、
【０００６】
前記前後身頃部と長袖部との下側接合点である腋下点と所定間隔をあけた前記前後身頃部の脇腹領域、あるいは、前記脇腹領域および前記腋下点と所定間隔をあけた前記長袖部の内腕領域に、Ｑｍａｘ値が０．１７Ｊ／ｓｅｃ／ｃｍ２以上の冷感素材を配置し、他の領域には前記冷感素材を配置しない構成とし、前記冷感素材の編地がベア天竺編地であるインナーウエアを提供している。
【０００７】
前記のように、第１の発明では、Ｑｍａｘ値が０．１７Ｊ／ｓｅｃ／ｃｍ２以上の冷感素材を、腋下点から所定間隔をあけた前後身頃部の脇腹領域あるいは／および腋下点から所定間隔をあけた長袖部の内腕領域に配置している。ここでいうＱｍａｘ値とは、一定面積、一定質量の熱板に所定の熱を蓄え、これが試料表面に接触した直後、蓄えられた熱量が低温側の試料に移動する熱流量のピーク値のことである。Ｑｍａｘ値は、着衣時に試料に奪われる体温をシミュレートしていると考えられ、Ｑｍａｘ値が大きいほど着衣時に奪われる体温が大きく、接触冷感が高いと考えられる。Ｑｍａｘ値が０．１７Ｊ／ｓｅｃ／ｃｍ２未満であると、官能試験で接触冷感を感じることが困難になる。好ましくは、Ｑｍａｘ値は０．１９Ｊ／ｓｅｃ／ｃｍ２以上０．２４Ｊ／ｓｅｃ／ｃｍ２以下であり、より好ましくは、０．２１Ｊ／ｓｅｃ／ｃｍ２以上０．２３Ｊ／ｓｅｃ／ｃｍ２以下である。また、前記冷感素材の熱伝導率が０．０８Ｗ／ｍ・Ｋ以上であるとより好ましい。熱伝導率も冷感に対応する重要なパラメータの１つであると考えられ、ある物質の熱の伝わりやすさを表す値である。熱伝導率［Ｗ／ｍ・Ｋ］は厚さ１ｍの板の両端に１℃の温度差がある時、その板の１ｍ２を通して、1秒間に流れる熱量のことである。前記冷感素材において、熱伝導率が大きいほど着衣時に皮膚表面から皮膚側生地に吸収された体温が速やかに生地表面に伝導し、外気へ放熱されるため、着衣時の冷感を持続的に感じられると考えられる。熱伝導率が０．０８Ｗ／ｍ・Ｋ未満であると、官能試験を行っても大半の人が冷感持続性を感じないことがある。好ましくは熱伝導率は、０．０９Ｗ／ｍ・Ｋ以上０．１５Ｗ／ｍ・Ｋ以下である。更に、前記冷感素材の平衡吸水率が０．４％以上０．６％以下であるとより好ましい。平衡吸水率を低く維持することで、水との親和性が低いために、水分が気化しやすく、気化熱による冷却効果を奏する。このため、冷感素材の平衡吸水率を上記範囲内にすることにより、冷感機能の持続性を高めることができる。
【０００８】
また、前記前後身頃部の脇腹領域とは、着用者の腹部および背部の左右両側に位置する脇腹を覆う領域のことであり、長袖部の内腕領域とは、着用者の腕の内側を覆う領域のことである。脇腹や腕の内側は、皮下の浅いところに多くの血管が通り、他の部位に比べて表層付近における血管占有率が高い部位である。よって、前後身頃部の脇腹領域あるいは／および長袖部の内腕領域に、前記Ｑｍａｘ値が０．１７Ｊ／ｓｅｃ／ｃｍ２以上の冷感素材を配置し、脇腹あるいは／および腕の内側の表層付近に位置する血管を冷却することにより、該血管を通って体内を循環する血液が効果的に冷却され、前記冷感素材に接触する脇腹や腕の内側のみならず、胸部や大腿部など血液が循環する体の各部位の皮膚温も低下させることができる。よって、ランニング等の運動時においても皮膚温の上昇を抑制することができ、運動機能低下の原因となる筋の温度上昇も抑えることができる。また、長袖部の内腕領域に前記冷感素材を配置することで、運動に伴う腕の振り等に伴って冷感が一層増大し、皮膚温を一層効果的に低下させることができる。本発明のインナーウエアでは、前後身頃部の脇腹領域および長袖部の内腕領域の両方に前記冷感素材を配置していることが好ましい。
【０００９】
前記冷感素材としては、たとえば熱可塑性エラストマーからなる繊維を用いた編地またはポリアミド系汎用繊維を用いた編地などが挙げられる。前記熱可塑性エラストマーとしては、例えば、ポリアミド系エラストマーやポリエステル系エラストマー等が挙げられ、市販品としては、ぺバックス（アルケマ社製）、ダイアミド、ベスタミド（以上、ダイセル・エボニック社製）、グリロンＥＬＸ（エムスケミー・ジャパン社製）、ペルプレン（東洋紡績社製）、プリマロイ（三菱化学社製）等が挙げられる。また、前記ポリアミド系汎用繊維を形成する樹脂としては、例えば、ナイロン６、ナイロン６６、ナイロン１２等が挙げられる。上記熱可塑性エラストマーのなかでも、下記式（１）で表されるポリエーテルブロックアミド共重合体は、極めて優れた帯電防止効果が得られること、紡糸性に優れること、及び、比重が小さく、軽い生地や肌着を作製できることから特に好適である。
【００１０】
【化１】
0005903234.tif 000002
式（１）中、ＰＡはポリアミドを表し、ＰＥはポリエーテルを表す。
【００１１】
前記繊維を用いた冷感素材の編地としては、特に限定されないが、例えば、前記繊維からなる糸にポリウレタン糸を添え糸編みしたベア天竺編地とすることが好ましい。
【００１２】
また、前記のように、前記冷感素材を配置する前後身頃部の脇腹領域および長袖部の内腕領域はともに腋下点と所定間隔をあけると共に、胸部や背部等の体幹部分を覆う他の領域には前記冷感素材を配置しない構成としている。前記冷感素材は保水性が比較的高く、水分の蒸散性能がポリエステル繊維等に比べて低いため、運動時など多量に発汗するような場合には、湿潤した生地がべたついて不快感が増すという問題がある。しかし、前記のように、発汗しやすい腋下や胸部、背部等に前記冷感素材を配置しないことにより、発汗による前記冷感素材のべたつきを防止して着用感を高めることができる。また、左右の脇腹を除く腹部にも前記冷感素材を配置しないため、腹部の冷えも防止できる。
【００１３】
前記冷感素材を配置しない他の領域の編地としては、例えば、ポリエステル糸にポリウレタン糸を添え糸編みしたベア天竺編地とすることができる。また、発汗量が多くなりやすい胸部や背部、腋下等を覆う領域をメッシュ編地等として通気性を向上させてもよい。
【００１４】
前記冷感素材を配置する前記脇腹領域は、前記前後身頃部の境界ラインである脇線を跨いで前記前後身頃部に連続形成され、前記脇腹領域は、前記腋下点から脇線方向に３〜８ｃｍ離間させた位置を上端とし胴周り方向の幅を６〜１６ｃｍとして脇線方向に前記前後身頃部の下端まで帯状に連続させている一方、前記冷感素材を配置する前記長袖部の内腕領域は、前記腋下点から前記長袖部の長さ方向に３〜８ｃｍ離間させた位置を上端とし腕周り方向の幅を腕周り全周長の１／２〜２／３として前記長袖部の長さ方向に前記長袖部の下端まで帯状に連続させていることが好ましい。
【００１５】
前記のように、冷感素材を配置する前後身頃部の脇腹領域や長袖部の内腕領域の上端を腋下点から３〜８ｃｍ離間させておくことにより、腋下の発汗による影響をより受けにくくして、前記各領域に配置された冷感素材のべたつきを効果的に防止することができる。
【００１６】
また、前記のように、脇線を跨いで前後身頃部に連続形成される脇腹領域を、前記上端の位置から胴周り方向の幅を６〜１６ｃｍとして脇線方向に沿って前後身頃部の下端まで帯状に連続させることにより、表層付近に血管が張り巡らされた脇腹一帯を前記冷感素材で覆って該血管を通る血液の冷却効果をより高めることができる。さらに、前記冷感素材を配置する脇腹領域を前記範囲内とすることで、胸部や背部の発汗による影響もより受けにくくすることができる。
【００１７】
また、前記のように、長袖部の内腕領域を、前記上端の位置から腕周り全周長の１／２〜２／３の幅で、長袖部の長さ方向に沿って長袖部の下端まで帯状に連続させることにより、表層付近に血管が張り巡らされた腕の内側一帯を前記冷感素材で覆って該血管を通る血液の冷却効果をより高めることができる。
第２の発明では、第１の発明である前記トップ側のインナーウエアに組み合わせるボトム側のインナーウエアであって、
【００１８】
脚の付け根位置から膝位置までの左右大腿部を囲む脚部を有し、該脚部の大腿内側領域あるいは／および大腿前側領域にＱｍａｘ値が０．１７Ｊ／ｓｅｃ／ｃｍ２以上の冷感素材を配置し、他の領域には前記冷感素材を配置していない構成としているインナーウエアを提供している。
【００１９】
前記のように、第１の発明である前記トップ側のインナーウエアに組み合わせるボトム側のインナーウエアにおいて、左右大腿部を囲む脚部の内側領域あるいは／および前側領域に前記第１の発明で配置したものと同じ冷感素材を配置している。脚部の内側領域とは、着用者の大腿部の内側（内股側）を覆う領域であり、脚部の前側領域とは、着用者の大腿部の前面側を覆う領域である。大腿部の内側は、皮下の浅いところに多くの血管が通り表層付近における血管占有率が高い部位であり、大腿部の前面側には筋体積の大きな筋群が存在している。よって、脚部の内側領域あるいは／および前側領域に前記冷感素材を配置し、大腿部内側の表層付近の血管や大腿部前面側の筋を直接冷却することにより、皮膚温を低下させ、運動機能の低下を抑えることが可能となる。脚部の内側領域および前側領域に前記冷感素材を配置する場合には、脚部の内側領域から前側領域に冷感素材が脚部周方向に連続するように配置されることが好ましい。
【００２０】
また、前記のように、脚部の全周に前記冷感素材を配置せず、臀部および腹部を覆うヒップ部にも前記冷感素材を配置していないため、発汗による前記冷感素材のべたつきを防止して着用感を高めると共に、腹部の冷えを防止することもできる。
【００２１】
本発明のインナーウエアは、発汗による脱水等を生じさせることなく皮膚温の上昇を抑制でき、運動機能低下の原因となる筋の温度上昇も抑えることができるため、ランニングや野球など運動時に着用されるスポーツ用インナーウエアとして好適である。
【発明の効果】
【００２２】
前述したように、第１の発明によれば、トップ側のインナーウエアにおいて、Ｑｍａｘ値が０．１７Ｊ／ｓｅｃ／ｃｍ２以上の冷感素材を、腋下点から所定間隔をあけた前後身頃部の脇腹領域あるいは／および腋下点から所定間隔をあけた長袖部の内腕領域に配置している。よって、前記脇腹領域あるいは／および内腕領域に配置した冷感素材が、脇腹や腕の内側の表層付近に通っている多くの血管を冷却し、該血管を通って体内を循環する血液が効果的に冷却されるため、前記冷感素材に接触する脇腹や腕の内側のみならず、胸部や大腿部等、体の各部位の皮膚温も低下させることができる。よって、ランニング等の運動時においても皮膚温の上昇を抑制でき、運動機能低下の原因となる筋の温度上昇も抑えることができる。
【００２３】
また、前記冷感素材を配置する前後身頃部の脇腹領域および前記長袖部の内腕領域はともに腋下点と所定間隔をあけると共に、胸部や背部等の体幹部分を覆う他の領域には前記冷感素材を配置していないため、発汗による前記冷感素材のべたつきを防止して着用感を高めることができる。また、左右の脇腹を除く腹部にも前記冷感素材を配置しないため、腹部の冷えを防止できる。
【００２４】
第２の発明によれば、第１の発明の前記トップ側のインナーウエアに組み合わせるボトム側のインナーウエアにおいて、左右大腿部を囲む脚部の内側領域あるいは／および前側領域にＱｍａｘ値が０．１７Ｊ／ｓｅｃ／ｃｍ２以上の冷感素材を配置している。よって、脚部の内側領域あるいは／および前側領域に配置した前記冷感素材が、大腿部内側の表層付近に通っている血管や大腿部前面側の筋を直接冷却することにより、皮膚温を低下させ、運動機能の低下を抑えることが可能となる。
【００２５】
また、前記冷感素材を脚部の全周に配置せず、臀部および腹部を覆うヒップ部にも前記冷感素材を配置していないため、発汗による前記冷感素材のべたつきを防止して着用感を高めると共に、腹部の冷えも防止できる。
【図面の簡単な説明】
【００２６】
【図１】第１実施形態のトップ側のインナーウエアを示し、（Ａ）は正面図、（Ｂ）は背面図である。
【図２】着用状態におけるトップ側のインナーウエアの断面図であり、（Ａ）は図１（Ａ）のＡ−Ａ線断面図、（Ｂ）は図１（Ａ）のＢ−Ｂ線断面図である。
【図３】実施例および比較例における胸部の皮膚温を示す図である。
【図４】実施例および比較例における大腿部の皮膚温を示す図である。
【図５】第２実施形態のボトム側のインナーウエアを示し、（Ａ）は正面図、（Ｂ）は背面図である。
【図６】図５（Ａ）のＣ−Ｃ線断面図（着用状態）である。
【図７】ボトム側のインナーウエアの他の例を示す図（正面図）である。
【発明を実施するための形態】
【００２７】
以下、本発明の実施形態を図面を参照して説明する。
【００２８】
図１および図２は第１実施形態のトップ側のインナーウエア１を示している。本実施形態のインナーウエア１は、ランニング等を行う際に着用されるスポーツ用インナーウエアである。
【００２９】
図１および図２に示すように、トップ側のインナーウエア１は、左右の脇線Ｌ１及び肩線Ｌ２で互いに縫着される前身頃部２Ａおよび後身頃部２Ｂと、前後身頃部２（２Ａ、２Ｂ）の左右のアームホールにそれぞれ縫着される長袖部４と、前後身頃部２（２Ａ、２Ｂ）の襟ぐりに縫着されるタートルネックタイプの襟部６とからなる。長袖部４は、図１（Ａ）では前面側（前身頃側）４Ａを、図１（Ｂ）では背面側（後身頃側）４Ｂをそれぞれ示している。長袖部前面側４Ａの内腕側端縁と長袖部背面側４Ｂの内腕側端縁とを縫着線Ｌ３で縫着して筒状の長袖部４を形成している。
【００３０】
インナーウエア１では、前後身頃部２（２Ａ、２Ｂ）の脇腹領域３（３Ａ、３Ｂ）と、長袖部４（４Ａ、４Ｂ）の内腕領域５（５Ａ、５Ｂ）に、Ｑｍａｘ値が０．１７Ｊ／ｓｅｃ／ｃｍ２以上であって、熱伝導率が０．０９９Ｗ／ｍ・Ｋ以上であって、平衡吸水率が０．６％以下の冷感素材２０（本実施形態ではＱｍａｘ値が０．２３Ｊ／ｓｅｃ／ｃｍ２  、熱伝導率が０．０９９Ｗ／ｍ・Ｋ、平衡吸水率が０．４％以上０．６％以下）を配置し、その他の領域には前記冷感素材２０と異なる素材２１（Ｑｍａｘ値が０．１７Ｊ／ｓｅｃ／ｃｍ２未満の素材２１）を配置している。上記Ｑｍａｘ値の測定は、２０．５℃の温度に設定した試料台の上に生地を置き、生地の上に３２．５℃の温度に温められた貯熱板を接触圧０．０９８Ｎ／ｃｍ２で重ねた直後、蓄えられた熱量が低温側の試料に移動する熱量のピーク値を測定した。測定には、サーモラボＩＩ型精密迅速熱物性測定装置（カトーテック社製）を用いた。上記熱伝導率の測定は、２０．５℃の温度に設定した試料台の上に生地を置き、生地の上に熱板を接触圧０．０５９Ｎ／ｃｍ２で重ね、熱板の温度を３２．５℃の温度に調節し安定させ、熱板の温度が所定温度に安定した時の熱損失速度をサーモラボＩＩ型精密迅速熱物性測定装置（カトーテック社製）を用いて測定し、この値から測定することで得られる値である。
上記平衡吸水率は、下記式で算出される。
平衡吸水率（％）＝（乾燥前重量（ｇ）−絶乾重量（ｇ））／絶乾重量（ｇ）×１００
【００３１】
乾燥前重量とは、２０℃・６５％の標準状態で生地と空気中の水分移動が平衡状態になる重量である。絶乾重量とは、１０５℃の温度で２時間乾燥させた状態の重量である。
【００３２】
冷感素材２０を配置する前後身頃部２（２Ａ、２Ｂ）の脇腹領域３（３Ａ、３Ｂ）は、着用者の腹部３０および背部３１の左右両側に位置する脇腹３２を覆う領域であり、前身頃部２Ａと後身頃部２Ｂとの境界ラインである脇線Ｌ１を跨ぐようにして脇腹領域３を連続形成している。具体的には、脇腹領域３は、前身頃部２Ａ側の脇腹領域３Ａと後身頃部２Ｂ側の脇腹領域３Ｂとからなり、前後の脇腹領域３Ａ、３Ｂは脇線Ｌ１に対して略対称に形成している。脇腹領域３は、前後身頃部２（２Ａ、２Ｂ）と長袖部４との下側接合点である腋下点Ｐから脇線Ｌ１方向に所定寸法ｄ１（ｄ１＝３〜８ｃｍ、本実施形態ではｄ１＝５ｃｍ）離した位置を上端とし、胴周り方向の幅ｗ１を６〜１６ｃｍ（本実施形態ではｗ１＝１０ｃｍ）として、前後身頃部２（２Ａ、２Ｂ）の下端まで脇線Ｌ１方向に帯状に連続させている。
【００３３】
また、冷感素材２０を配置する長袖部４（４Ａ、４Ｂ）の内腕領域５（５Ａ、５Ｂ）は、着用者の腕３３の内側３３ａを覆う領域である。本実施形態における長袖部４の内腕領域５は、長袖部前面側４Ａの内腕領域５Ａと長袖部背面側４Ｂの内腕領域５Ｂとを連続させてなり、前面側、背面側の内腕領域５Ａ、５Ｂは縫着線Ｌ３に対して略対称に形成している。内腕領域５は、腋下点Ｐから縫着線Ｌ３方向（長袖部４の長さ方向）に所定寸法ｄ２（ｄ２＝３〜８ｃｍ、本実施形態ではｄ２＝５ｃｍ）離した位置を上端とし、腕周り方向の幅ｗ２を腕周り全周長の１／２〜２／３（本実施形態では全周長の１／２）として、長袖部４（４Ａ、４Ｂ）の下端まで縫着線Ｌ３方向に帯状に連続させている。
【００３４】
前後身頃部２（２Ａ、２Ｂ）の脇腹領域３（３Ａ、３Ｂ）および長袖部４（４Ａ、４Ｂ）の内腕領域５（５Ａ、５Ｂ）に配置する冷感素材２０は、熱可塑性エラストマーであるポリエーテルブロックアミド共重合体からなる繊維を用いた編地としている。具体的には、９８重量％のポリエーテルブロックアミド共重合体（商品名「ぺバックス  １０４１ＳＡ０１」、アルケマ社製）に、２重量％の酸化チタン（商品名「Ｄ９１８」、堺化学工業社製、平均粒子径０．２６μｍ）を添加し、溶融混合して樹脂ペレットを作製した後、該樹脂ペレットを用いて溶融紡糸することにより原糸を得ている。
【００３５】
本実施形態のインナーウエア１では、前後身頃部２（２Ａ、２Ｂ）の脇腹領域３（３Ａ、３Ｂ）および長袖部４（４Ａ、４Ｂ）の内腕領域５（５Ａ、５Ｂ）に配置する冷感素材２０を、前記原糸に撚糸加工を施した撚糸（繊度５０デシテックス）にポリウレタン糸（繊度６４デシテックス）を添え糸編みしたベア天竺編地で編成する一方、他の領域に配置する素材２１は、ポリエステル糸（繊度５０デシテックス）にポリウレタン糸（繊度６４デシテックス）を添え糸編みしたベア天竺編地で編成している。
【００３６】
なお、本実施形態では、熱可塑性エラストマーからなる繊維を用いた編地でＱｍａｘ値が０．１７Ｊ／ｓｅｃ／ｃｍ２以上の冷感素材２０を作製しているが、ポリアミド系汎用繊維を用いた編地で冷感素材２０を作製してもよい。
［実施例、比較例］
【００３７】
第１実施形態で得たインナーウエア１と、該インナーウエア１と同一形状で、冷感素材２０を配置せず素材２１のみで形成した従来品のインナーウエアとを用い、以下の方法で皮膚温低下効果の評価を行った。
【００３８】
２８℃、６５％ＲＨ環境の人工気象室内で、第１実施形態で得たインナーウエア１を被験者に着用してもらい、夏季におけるランニングのシミュレーション試験を行った。試験は、（１）５分間安静→（２）送風機による風速４ｍ／ｓｅｃの風を受けながらトレッドミルにて７．５ｋｍ／ｈｒで１５分間走行→（３）１０分間安静→（４）送風機による風速４ｍ／ｓｅｃの風を受けながらトレッドミルにて９ｋｍ／ｈｒで１５分間走行→（５）１０分間安静のパターンで行い、前記（１）〜（５）の試験全期間中の被験者の胸部と大腿部の皮膚温を常時測定した（実施例）。また、被験者に前記従来品のインナーウエアを着用してもらい、同様のシミュレーション試験を行った（比較例）。実施例および比較例における皮膚温の測定結果を図３および図４に示す。図３は胸部の皮膚温を示し、図４は大腿部の皮膚温を示している。なお、前記試験は健康な成人男性４名について行い、図３および図４にはその平均値を示している。また、試験全期間中の心拍数は実施例と比較例との間で差異がなく、同等の運動条件（運動強度）のもとで実施例および比較例の試験が行われた。
【００３９】
図３に示すように、第１実施形態のインナーウエアを着用した実施例の方が、従来品のインナーウエアを着用した比較例より胸部の皮膚温が１０分経過後以降、一貫して低かった。また、大腿部の皮膚温についても、図４に示すように、実施例の方が比較例よりやや低めとなった。
【００４０】
前記のように、第１実施形態のトップ側のインナーウエア１では、Ｑｍａｘ値が０．１７Ｊ／ｓｅｃ／ｃｍ２以上の冷感素材２０を、腋下点Ｐから所定間隔ｄ１をあけた前後身頃部２（２Ａ、２Ｂ）の脇腹領域３（３Ａ、３Ｂ）および腋下点Ｐから所定間隔ｄ２をあけた長袖部４（４Ａ、４Ｂ）の内腕領域５（５Ａ、５Ｂ）に配置している。よって、脇腹領域３（３Ａ、３Ｂ）および内腕領域５（５Ａ、５Ｂ）に配置した冷感素材２０が、脇腹や腕の内側の表層付近に通っている多くの血管を冷却し、該血管を通って体内を循環する血液が効果的に冷却されるため、冷感素材２０に接触する脇腹や腕の内側のみならず、胸部や大腿部等、体の各部位の皮膚温も低下させることができる。よって、図３、図４のように、ランニング等の運動時においても皮膚温の上昇を抑制でき、運動機能低下の原因となる筋の温度上昇も抑えることができる。
【００４１】
また、冷感素材２０を配置する前後身頃部２（２Ａ、２Ｂ）の脇腹領域３（３Ａ、３Ｂ）および長袖部４（４Ａ、４Ｂ）の内腕領域５（５Ａ、５Ｂ）はともに腋下点Ｐと所定間隔ｄ１、ｄ２をあけると共に、胸部や背部等の体幹部分を覆う他の領域には冷感素材２０を配置していないため、発汗による冷感素材２０のべたつきを防止して着用感を高めることができる。また、左右の脇腹を除く腹部にも冷感素材２０を配置しないため、腹部の冷えを防止できる。
図５および図６は第２実施形態を示している。
【００４２】
第２実施形態では、第１実施形態のトップ側インナーウエア１に組み合わせるボトム側のインナーウエア１０を作製している。図５および図６に示すように、ボトム側のインナーウエア１０は、ウエスト位置から脚の付け根位置までの領域で腹部および臀部を覆うヒップ部１１と、脚の付け根位置から膝位置までの領域で左右大腿部を囲む脚部１２とからなり、左右一対の前面布１３Ａおよび左右一対の背面布１３Ｂを前中心線Ｃ１、後中心線Ｃ２でそれぞれ縫着すると共に、一方側の前面布１３Ａと背面布１３Ｂ、他方側の前面布１３Ａと背面布１３Ｂを脇線Ｌ４と内股線Ｌ５でそれぞれ縫着することにより、インナーウエア１０のヒップ部１１と左右の脚部１２を形成している。
【００４３】
本実施形態のインナーウエア１０では、前面布１３Ａおよび背面布１３Ｂによって形成される脚部１２の内側領域１５（１５Ａ、１５Ｂ）にのみ、第１実施形態と同様のＱｍａｘ値が０．１７Ｊ／ｓｅｃ／ｃｍ２以上の冷感素材２０を配置し、他の領域には該冷感素材２０と異なる素材２１（第１実施形態の他の領域に配置した素材２１と同じ素材）を配置している。冷感素材２０を配置する脚部１２の内側領域１５（１５Ａ、１５Ｂ）は、着用者の大腿部３４の内側（内股側）３４ａを覆う領域である。本実施形態における内側領域１５は、前面布１３Ａ側の内側領域１５Ａと背面布１３Ｂ側の内側領域１５Ｂとを連続させてなり、前後の内側領域１５Ａ、１５Ｂを内股線Ｌ５に対して略対称に形成している。内側領域１５は、股下ｄ３＝３〜１０ｃｍの位置を上端とし、脚周り方向の幅ｗ３を１０〜１５ｃｍとして、前面布１３Ａおよび背面布１３Ｂの下端まで内股線Ｌ５方向に帯状に連続させている。
【００４４】
前記のように、第２実施形態のボトム側のインアーウエア１０では、左右大腿部を囲む脚部１２の内側領域１５（１５Ａ、１５Ｂ）にＱｍａｘ値が０．１７Ｊ／ｓｅｃ／ｃｍ２以上の冷感素材２０を配置している。よって、脚部１２の内側領域１５（１５Ａ、１５Ｂ）に配置した冷感素材２０が、大腿部内側３４ａの表層付近に通っている血管を冷却し、該血管を通る血液を効果的に冷却することで、皮膚温を低下させ筋の温度上昇を抑えて運動機能の低下を抑制することが可能となる。
【００４５】
また、冷感素材２０を脚部１２の全周に配置せず、臀部および腹部を覆うヒップ部１１にも冷感素材２０を配置していないため、発汗による前記冷感素材のべたつきを防止して着用感を高めると共に、腹部の冷えも防止できる。
【００４６】
なお、図７に示すように、脚部１２の内側領域１５（１５Ａ、１５Ｂ）に加えて、脚部１２の前側領域１６にもＱｍａｘ値が０．１７Ｊ／ｓｅｃ／ｃｍ２以上の冷感素材２０を配置してもよい。この際、前面布１３Ａ側の内側領域１５Ａから前側領域１６に冷感素材２０が脚部周方向に連続するように配置することが好ましい。
【００４７】
脚部１２の前側領域１６は、着用者の大腿部の前面側を覆う領域であり、大腿部の前面側には筋体積の大きな筋群が存在している。よって、前記のように、脚部１２の内側領域１５（１５Ａ、１５Ｂ）に加えて前側領域１６にもＱｍａｘ値が０．１７Ｊ／ｓｅｃ／ｃｍ２以上の冷感素材２０を配置し、大腿部内側の表層付近の血管と大腿部前面側の筋を直接冷却することにより、皮膚温を低下させ、運動機能の低下を抑えることが可能となる。
【符号の説明】
【００４８】
１  トップ側のインナーウエア
２  前後身頃部
２Ａ  前身頃部
２Ｂ  後身頃部
３  脇腹領域
３Ａ  前身頃側の脇腹領域
３Ｂ  後身頃側の脇腹領域
４  長袖部
４Ａ  長袖部前面側
４Ｂ  長袖部背面側
５  内腕領域
５Ａ  長袖部前面側の内腕領域
５Ｂ  長袖部背面側の内腕領域
６  襟部
１０  ボトム側のインナーウエア
１１  ヒップ部
１２  脚部
１３Ａ  前面布
１３Ｂ  背面布
１５  内側領域
１５Ａ  前面布の内側領域
１５Ｂ  背面布の内側領域
１６  前側領域
２０  冷感素材
２１  冷感素材と異なる素材
３０  腹部
３１  背部
３２  脇腹
３３  腕
３３ａ  腕の内側
３４  大腿部
３４ａ  大腿部の内側
【図１】
0005903234.tif 000003
【図２】
0005903234.tif 000004
【図３】
0005903234.tif 000005
【図４】
0005903234.tif 000006
【図５】
0005903234.tif 000007
【図６】
0005903234.tif 000008
【図７】
0005903234.tif 000009